(57)【要約】  【課題】  従来の液晶表示装置では、消費電力の増加を少なくして、ソースドライバのチップサイズを小さくすることが出来ない。  【解決手段】  第１の液晶表示パネルは、携帯電話端末のスピーカ及びマイクが配置されている側に配置され、第２の液晶表示パネルは、携帯電話端末のスピーカ及びマイクが配置されていない側に配置され、信号電極駆動回路は、第１の液晶表示パネルに画像を表示する場合、ＣＰＵから送られている画像データに基づいて、第１の液晶表示パネルの信号電極を駆動し、第２の液晶表示パネルに画像を表示する場合、ＧＲＡＭに保持されている画像データに基づいて、第２の液晶表示パネルの信号電極を駆動する。【選択図】  図１
2005031593.tif 000002
【特許請求の範囲】
【請求項１】
折り畳み可能な携帯電話端末に用いられる液晶表示装置であって、
マトリックス状に配置された信号電極及び走査電極、及び前記信号電極及び走査電極の交点に設けられた液晶表示素子を有する第１及び第２の液晶表示パネルと、
前記第２の液晶表示パネルに表示される画像データを保持するＧＲＡＭと、
前記走査電極を駆動する走査電極駆動回路と、
前記信号電極を駆動する信号電極駆動回路とを備え、
前記第１の液晶表示パネルは、前記携帯電話端末のスピーカ及びマイクが配置されている側に配置され、
前記第２の液晶表示パネルは、前記携帯電話端末のスピーカ及びマイクが配置されていない側に配置され、
前記信号電極駆動回路は、前記第１の液晶表示パネルに画像を表示する場合、ＣＰＵから送られている画像データに基づいて、前記第１の液晶表示パネルの前記信号電極を駆動し、前記第２の液晶表示パネルに画像を表示する場合、前記ＧＲＡＭに保持されている画像データに基づいて、前記第２の液晶表示パネルの前記信号電極を駆動する、液晶表示装置。
【請求項２】
折り畳み可能な携帯電話端末に用いられる液晶表示装置であって、
マトリックス状に配置された信号電極及び走査電極、及び前記信号電極及び走査電極の交点に設けられた液晶表示素子を有する第１及び第２の液晶表示パネルと、
前記第２の液晶表示パネルに表示される画像データを保持するＧＲＡＭと、
前記走査電極を駆動する走査電極駆動回路と、
前記信号電極を駆動する信号電極駆動回路とを備え、
前記第１の液晶表示パネルは、前記携帯電話端末のスピーカ及びマイクが配置されている側に配置され、
前記第２の液晶表示パネルは、前記携帯電話端末のスピーカ及びマイクが配置されていない側に配置された、液晶表示装置を駆動する液晶表示装置の駆動方法であって、
前記信号電極駆動回路が、前記第１の液晶表示パネルに画像を表示する場合、ＣＰＵから送られている画像データに基づいて、前記第１の液晶表示パネルの前記信号電極を駆動し、前記第２の液晶表示パネルに画像を表示する場合、前記ＧＲＡＭに保持されている画像データに基づいて、前記第２の液晶表示パネルの前記信号電極を駆動するステップを備えた、液晶表示装置の駆動方法。
【発明の詳細な説明】
【技術分野】
【０００１】
本発明は携帯電話端末などの映像表示用のディスプレイとして用いられる液晶表示装置、及び液晶表示装置の駆動方法に関するものである。
【背景技術】
【０００２】
近年、マルチメディアの技術革新により小型情報端末機器や携帯電話に代表されるような屋外で使用する液晶表示パネルが要望されている。それに加え、使用時間をより長くするために電池の消耗を少なくするため、液晶表示装置全体の消費電力を低減することが必要不可欠となってきている。
【０００３】
以下に従来の液晶表示装置について説明する（例えば、特許文献１参照）。
【０００４】
従来の液晶表示装置を図２および図３に示す。
【０００５】
図２は、従来の液晶表示装置の構成を示した図である。
【０００６】
２０１は、液晶表示装置である。
【０００７】
液晶表示装置２０１は、折り畳み可能な携帯電話端末に用いられる。
【０００８】
２０２は、ソースドライバーである。
【０００９】
２０３は、ゲートドライバーである。
【００１０】
２０４は、ｎ１行×ｍ１列の画素数を持つメイン液晶表示パネルである。
【００１１】
２０５は、ｎ２行×ｍ２列の画素数を持つサブ液晶表示パネルである。
【００１２】
ここで、ｎ１，ｎ２，ｍ１，ｍ２は自然数であり、ｎ１≧ｎ２かつｍ１≧ｍ２とする。
【００１３】
また、メイン液晶表示パネル２０４は、折り畳み可能な携帯電話端末の、スピーカ及びマイクが配置されている側に配置されており、サブ液晶表示パネル２０５は、その携帯電話端末の、スピーカ及びマイクが配置されていない側に配置されている。
【００１４】
２０６は、ソースドライバー２０２に様々なデータを転送するＣＰＵである。
【００１５】
２０２ａは、メイン液晶表示パネル２０４およびサブ液晶表示パネル２０５に表示データを転送するソースドライバー２０２内部のドライバー部である。
【００１６】
２０２ｂは、ＣＰＵ２０６からの様々なデータを受け取り、ソースドライバー２０２やゲートドライバー２０３を制御するコントローラー部である。
【００１７】
２０２ｃは、メイン液晶表示パネル２０４上に表示させる表示データを格納しておくことが可能なｎ１×ｍ１の容量を持つＧＲＡＭである。
【００１８】
２０２ｄは、サブ液晶表示パネル２０５上に表示させる表示データを格納しておくことが可能なｎ２×ｍ２の容量を持つＧＲＡＭである。
【００１９】
ＳＧ21は、液晶表示装置２０１の様々な動作を制御するためにＣＰＵからソースドライバー２０２へ転送される制御信号である。
【００２０】
ＳＧ22は、ソースドライバー２０２内部のドライバー部２０２ａからメイン液晶表示パネル２０４およびサブ液晶表示パネル２０５に転送される表示データである。
【００２１】
ＳＧ23は、ゲートドライバー２０３からメイン液晶表示パネル２０４およびサブ液晶表示パネル２０５に転送される液晶駆動電圧である。
【００２２】
ＳＧ24は、ソースドライバー２０２内部のコントローラー部２０２ｂからゲートドライバー２０３に伝送される液晶駆動電圧ＳＧ23を制御する信号である。
【００２３】
ＳＧ25は、コントローラー部２０２ｂからドライバー部に転送される液晶表示パネルの表示状態等を制御する信号である。
【００２４】
ＳＧ26は、ＣＰＵからの制御によりコントローラー部２０２ｂからＧＲＡＭ２０２ｃおよび２０２ｄに書き込んだり、読み出したりする表示データである。
【００２５】
以上のような構成において、メイン液晶表示パネル２０４とサブ液晶表示パネル２０５は同時に動作することはなく、ＣＰＵ２０６から液晶表示装置には、必ずメイン液晶表示パネル２０４専用の表示データあるいはサブ液晶表示パネル２０５専用の表示データのみが転送されている。
【００２６】
そのため、ソースドライバー２０２内部のＧＲＡＭ２０２ｃおよび２０２ｄは、ＣＰＵ２０６からの表示データが更新された場合にソースドライバー２０２内部のコントローラー２０２ｂとの間で表示データの受け渡しを行い続けることにより、メイン液晶表示パネルあるいはサブ液晶表示パネルのどちらか一方のみに映像を表示させることが可能となる。
【００２７】
表示データは、ＣＰＵ２０６からコントローラー部２０２ｂを経由し、一旦ＧＲＡＭ２０２ｃに格納し、そのデータを読み出してドライバー部２０２ａからメイン液晶表示パネル２０４に転送され表示される。サブ液晶表示パネル２０５も同様の動作で表示を行う。
【００２８】
次に、図３を用いて説明を行う。
【００２９】
図３は、図２とは異なる構成を持つ従来の液晶表示装置である。
【００３０】
３０１は、液晶表示装置である。
【００３１】
液晶表示装置３０１は、折り畳み可能な携帯電話端末に用いられる。
【００３２】
３０２は、ソースドライバーである。
【００３３】
３０３は、ゲートドライバーである。
【００３４】
３０４は、ｎ１行×ｍ１列の画素数を持つメイン液晶表示パネルである。
【００３５】
３０５は、ｎ２行×ｍ２列の画素数を持つサブ液晶表示パネルである。
【００３６】
ここで、ｎ１，ｎ２，ｍ１，ｍ２は自然数であり、ｎ１≧ｎ２かつｍ１≧ｍ２とする。
【００３７】
また、メイン液晶表示パネル３０４は、折り畳み可能な携帯電話端末の、スピーカ及びマイクが配置されている側に配置されており、サブ液晶表示パネル３０５は、その携帯電話端末の、スピーカ及びマイクが配置されていない側に配置されている。
【００３８】
３０６は、ソースドライバー３０２に様々なデータを転送するＣＰＵである。
【００３９】
３０２ａは、メイン液晶表示パネル３０４およびサブ液晶表示パネル３０５に表示データを転送するソースドライバー３０２内部のドライバー部である。
【００４０】
３０２ｂは、ＣＰＵ３０６からの様々なデータを受け取り、ソースドライバー３０２やゲートドライバー３０３を制御するコントローラー部である。
【００４１】
ＳＧ31は、液晶表示装置３０１の様々な動作を制御するためにＣＰＵからソースドライバー３０２へ転送される制御信号である。
【００４２】
ＳＧ32は、ソースドライバー３０２内部のドライバー部３０２ａからメイン液晶表示パネル３０４およびサブ液晶表示パネル３０５に転送される表示データである。
【００４３】
ＳＧ33は、ゲートドライバー３０３からメイン液晶表示パネル３０４およびサブ液晶表示パネル３０５に転送される液晶駆動電圧である。
【００４４】
ＳＧ34は、ソースドライバー３０２内部のコントローラー部３０２ｂからゲートドライバー３０３に伝送される液晶駆動電圧ＳＧ33を制御する信号である。
【００４５】
ＳＧ35は、コントローラー部３０２ｂからドライバー部に転送される液晶表示パネルの表示状態等を制御する信号である。
【００４６】
以上のような構成において、先程図２を用いて行った説明と同様に、メイン液晶表示パネル３０４とサブ液晶表示パネル３０５は同時に動作することはなく、ＣＰＵ３０６から液晶表示装置には、必ずメイン液晶表示パネル専用の表示データあるいはサブ液晶表示パネル専用の表示データのみが転送されている。
【００４７】
そのため、ＣＰＵ３０６からの表示データが更新された場合に限り、メイン液晶表示パネル３０４あるいはサブ液晶表示パネル３０５のどちらか一方のみに映像を表示させることが可能となる。
【００４８】
表示データは、ＣＰＵ３０６からコントローラー部３０２ｂを経由し、ドライバー部３０２ａからメイン液晶表示パネル３０４に転送され表示される。サブ液晶表示パネル３０５も同様の動作で表示を行う。
【特許文献１】特開２００３−５０５６７号公報
【発明の開示】
【発明が解決しようとする課題】
【００４９】
図２の説明において、ソースドライバー内部にメイン液晶表示パネル用のＧＲＡＭとサブ液晶表示パネル用のＧＲＡＭを内蔵しなくてはならず、ソースドライバーのチップサイズが増大するので、液晶表示装置が大型化するとともに、液晶表示装置のコストアップに繋がるという問題がある。
【００５０】
また、図３の説明において、ソースドライバー内部にＧＲＡＭを内蔵していないため、メイン液晶表示パネルまたはサブ液晶表示パネルに表示を行うためには、常にＣＰＵからの表示データを供給し続けなくてはならず、つまりＣＰＵを常に動作させておく必要があり、消費電力の増加に繋がるという問題がある。
【００５１】
本発明は、上記課題を考慮し、ソースドライバーのチップサイズを減少するとともに、低消費電力を実現する液晶表示装置、及び液晶表示装置の駆動方法を提供することを目的とするものである。
【課題を解決するための手段】
【００５２】
上述した課題を解決するために、第１の本発明は、折り畳み可能な携帯電話端末に用いられる液晶表示装置であって、
マトリックス状に配置された信号電極及び走査電極、及び前記信号電極及び走査電極の交点に設けられた液晶表示素子を有する第１及び第２の液晶表示パネルと、
前記第２の液晶表示パネルに表示される画像データを保持するＧＲＡＭと、
前記走査電極を駆動する走査電極駆動回路と、
前記信号電極を駆動する信号電極駆動回路とを備え、
前記第１の液晶表示パネルは、前記携帯電話端末のスピーカ及びマイクが配置されている側に配置され、
前記第２の液晶表示パネルは、前記携帯電話端末のスピーカ及びマイクが配置されていない側に配置され、
前記信号電極駆動回路は、前記第１の液晶表示パネルに画像を表示する場合、ＣＰＵから送られている画像データに基づいて、前記第１の液晶表示パネルの前記信号電極を駆動し、前記第２の液晶表示パネルに画像を表示する場合、前記ＧＲＡＭに保持されている画像データに基づいて、前記第２の液晶表示パネルの前記信号電極を駆動する、液晶表示装置である。
【００５３】
また、第２の本発明は、折り畳み可能な携帯電話端末に用いられる液晶表示装置であって、
マトリックス状に配置された信号電極及び走査電極、及び前記信号電極及び走査電極の交点に設けられた液晶表示素子を有する第１及び第２の液晶表示パネルと、
前記第２の液晶表示パネルに表示される画像データを保持するＧＲＡＭと、
前記走査電極を駆動する走査電極駆動回路と、
前記信号電極を駆動する信号電極駆動回路とを備え、
前記第１の液晶表示パネルは、前記携帯電話端末のスピーカ及びマイクが配置されている側に配置され、
前記第２の液晶表示パネルは、前記携帯電話端末のスピーカ及びマイクが配置されていない側に配置された、液晶表示装置を駆動する液晶表示装置の駆動方法であって、
前記信号電極駆動回路が、前記第１の液晶表示パネルに画像を表示する場合、ＣＰＵから送られている画像データに基づいて、前記第１の液晶表示パネルの前記信号電極を駆動し、前記第２の液晶表示パネルに画像を表示する場合、前記ＧＲＡＭに保持されている画像データに基づいて、前記第２の液晶表示パネルの前記信号電極を駆動するステップを備えた、液晶表示装置の駆動方法である。
【発明の効果】
【００５４】
本発明は、ソースドライバーのチップサイズを減少するとともに、低消費電力を実現する液晶表示装置、及び液晶表示装置の駆動方法を提供することが出来る。
【発明を実施するための最良の形態】
【００５５】
以下に本発明の実施の形態を図面を参照して説明する。
【００５６】
（第１の実施の形態）
図１は、本発明の第１の実施の形態における液晶表示装置の構成を示した図である。
【００５７】
１０１は、液晶表示装置である。
【００５８】
液晶表示装置１０１は、折り畳み可能な携帯電話端末に用いられる。
【００５９】
１０２は、ソースドライバーである。
【００６０】
１０３は、ゲートドライバーである。
【００６１】
１０４は、ｎ１行×ｍ１列の画素数を持つメイン液晶表示パネルである。
【００６２】
１０５は、ｎ２行×ｍ２列の画素数を持つサブ液晶表示パネルである。
【００６３】
すなわち、メイン液晶表示パネル１０４及びサブ液晶表示パネル１０５は、それぞれマトリックス状に配置された信号電極及び走査電極、及びその信号電極及び走査電極の交点に設けられた液晶表示素子を有している。
ここで、ｎ１，ｎ２，ｍ１，ｍ２は自然数であり、ｎ１≧ｎ２かつｍ１≧ｍ２とする。
【００６４】
また、メイン液晶表示パネル１０４は、折り畳み可能な携帯電話端末の、スピーカ及びマイクが配置されている側に配置されており、サブ液晶表示パネル１０５は、その携帯電話端末の、スピーカ及びマイクが配置されていない側に配置されている。
【００６５】
１０６は、ソースドライバー１０２に様々なデータを転送するＣＰＵである。
【００６６】
１０２ａは、メイン液晶表示パネル１０４およびサブ液晶表示パネル１０５に表示データを転送するソースドライバー１０２内部のドライバー部である。
【００６７】
１０２ｂは、ＣＰＵ１０６からの様々なデータを受け取り、ソースドライバー１０２やゲートドライバー１０３を制御するコントローラー部である。
【００６８】
１０２ｄは、サブ液晶表示パネル上に表示させる表示データ格納しておくことが可能なｎ２×ｍ２の容量を持つＧＲＡＭである。
【００６９】
ＳＧ11は、液晶表示装置１０１の様々な動作を制御するためにＣＰＵからソースドライバー１０２へ転送される制御信号である。
【００７０】
ＳＧ12は、ソースドライバー１０２内部のドライバー部１０２ａからメイン液晶表示パネル１０４およびサブ液晶表示パネル１０５に転送される表示データである。このＳＧ12は、メイン液晶表示パネル１０４およびサブ液晶表示パネル１０５のそれぞれの信号電極に印加される。
【００７１】
ＳＧ13は、ゲートドライバー１０３からメイン液晶表示パネル１０４およびサブ液晶表示パネル１０５に転送される液晶駆動電圧である。このＳＧ13は、メイン液晶表示パネル１０４およびサブ液晶表示パネル１０５のそれぞれの走査電極に印加される。
【００７２】
ＳＧ14は、ソースドライバー１０２内部のコントローラー部１０２ｂからゲートドライバー１０３に伝送される液晶駆動電圧ＳＧ13を制御する信号である。
【００７３】
ＳＧ15は、コントローラー部１０２ｂからドライバー部に転送される液晶表示パネルの表示状態等を制御する信号である。
【００７４】
ＳＧ16は、ＣＰＵからの制御によりコントローラー部１０２ｂからＧＲＡＭ１０２ｄに書き込んだり、読み出したりする表示データである。
なお、本実施の形態のソースドライバー１０２は、本発明の信号電極駆動回路の例であり、本実施の形態のゲートドライバー１０３は、本発明の走査電極駆動回路の例であり、本実施の形態のメイン液晶表示パネル１０４は本発明の第１の液晶表示パネルの例であり、本実施の形態のサブ液晶表示パネル１０５は本発明の第２の液晶表示パネルの例である。
【００７５】
次に、このような本実施の形態の動作を説明する。
【００７６】
以上のような構成において、メイン液晶表示パネル１０４とサブ液晶表示パネル１０５は同時に動作することはなく、ＣＰＵ１０６から液晶表示装置には、必ずメイン液晶表示パネル１０４専用の表示データあるいはサブ液晶表示パネル１０５専用の表示データのみが転送されている。
【００７７】
そのため、ソースドライバー１０２内部のＧＲＡＭ１０２ｄは、ＣＰＵ１０６からの表示データが更新された場合にソースドライバー１０２内部のコントローラー１０２ｂとの間で表示データの受け渡しを行い続けることにより、サブ液晶表示パネル１０５のみに映像を表示させることが可能となる。また、メイン液晶表示パネル１０４に映像を表示させる際には、ＣＰＵ１０６から送られてきた表示データをコントローラ部１０２ｂがドライバー部１０２ａに送り、ドライバー部１０２ａがメイン液晶表示パネル１０４に送ることによりメイン液晶表示パネル１０４のみに映像を用事させることが可能となる。
【００７８】
すなわち、サブ液晶表示パネル１０５に映像を表示する際には、表示データは、ＣＰＵ１０６からコントローラー部１０２ｂを経由し、一旦ＧＲＡＭ１０２ｄに格納される。そして、ＧＲＡＭ１０２ｄに格納されている表示データをコントローラ部１０２ｂが、読み出してドライバー部１０２ａに出力する。そして、読み出された表示データは、ドライバー部１０２ａからサブ液晶表示パネル１０５に転送され表示される。
【００７９】
一方、メイン液晶表示パネル１０４に映像を表示する際には、表示データは、ＣＰＵ１０６からコントローラー部１０２ｂに転送され、コントローラー部１０２ｂは、ＣＰＵ１０６から受け取った表示データをドライバー部１０２ａに出力する。そして、ドライバー部１０２ａは、コントローラー部１０２ｂから受け取った表示データをメイン液晶表示パネル１０４に転送し、メイン液晶表示パネル１０４で表示される。
【００８０】
このように、本実施の形態の液晶表示装置１０１は、サブ液晶表示パネル１０５に映像を表示する際には、ＧＲＡＭ１０２ｄに保持されている表示データに基づき、サブ液晶表示パネル１０５の信号電極が駆動される。一方、メイン液晶表示パネル１０４に映像を表示する際には、ＧＲＡＭは用いず、ＣＰＵから送られてきた表示データに基づき、ドライバー部１０２ａがメイン液晶表示パネル１０４の信号電極が駆動される。
【００８１】
すなわち、本実施の形態の液晶表示装置１０１はメイン液晶表示パネル１０４に表示する表示データを保持するＧＲＡＭを備えていないので、その分だけソースドライバーのチップサイズが小さくなり、液晶表示装置１０１を小型化することが出来る上に、液晶表示装置１０１のコストダウンを実現することが出来る。
【００８２】
また、サブ液晶表示パネル１０５には、通常、日付表示などの静止画映像が表示されることが多い。従って、サブ液晶表示パネル１０５に対応するＧＲＡＭであるＧＲＡＭ１０２ｄを設けることにより、ＣＰＵが常に表示データを送り続ける必要がなくなるため、消費電力を低減することが出来る。
【００８３】
一方、メイン液晶表示パネル１０４は、本実施の形態の液晶表示装置１０１が組み込まれている携帯電話端末を折り畳んでいない状態で使用される。そして、メイン液晶表示パネル１０４を使用する際には、メイン液晶表示パネル１０４には動画映像が表示されことが多い。動画映像を表示する場合には、ＧＲＡＭに一旦表示データを保持してから、ＧＲＡＭに保持されている表示データに基づいてメイン液晶表示パネル１０４に表示する場合と、ＧＲＡＭを設けることなくＣＰＵから表示データを直接ドライバー部１０２ａに送る場合とで、消費電力はほとんど変わらない。
【００８４】
従って、本実施の形態の液晶表示装置１０１では、メイン液晶表示パネル１０４に対応するＧＲＡＭを設けることなく、メイン液晶表示パネル１０４を、ＣＰＵから送られてくる表示データに基づいて、駆動することにより、ソースドライバーのチップサイズを小型化するとともに、消費電力の増加を少なくすることが出来る。
【００８５】
図４（ａ）に、各液晶表示装置のソースドライバのチップ面積を比較した結果を示す。「メイン／サブ共にＧＲＡＭあり（基準）」は、従来の技術における図２の液晶表示装置２０１であり、「サブのみＧＲＡＭあり」は、本実施の形態における液晶表示装置１０１であり、「メイン／サブ共にＧＲＡＭなし」は、従来の技術における図３の液晶表示装置３０１である。
【００８６】
図４（ａ）から明らかなように、液晶表示装置２０１のソースドライバのチップ面積を１００とした場合に、本実施の形態の液晶表示装置１０１のソースドライバのチップ面積は７０となり、液晶表示装置２０１に比べてソースドライバのチップ面積が３０％小さくなっている。また、液晶表示装置３０１のソースドライバのチップ面積は５０となり、液晶表示装置２０１に比べてソースドライバのチップ面積が５０％小さくなっている。
【００８７】
また、図４（ｂ）に、各液晶表示装置の消費電力を比較した結果を示す。「メイン／サブ共にＧＲＡＭあり（基準）」は、従来の技術における図２の液晶表示装置２０１であり、「サブのみＧＲＡＭあり」は、本実施の形態における液晶表示装置１０１であり、「メイン／サブ共にＧＲＡＭなし」は、従来の技術における図３の液晶表示装置３０１である。
【００８８】
図４（ｂ）から明らかなように、液晶表示装置２０１の消費電力を１００とした場合に、本実施の形態の液晶表示装置１０１の消費電力は１０５となり、消費電力が５％増加している。また、液晶表示装置３０１の消費電力は、１１５となり、消費電力が１５％増加している。
【００８９】
従って、図４（ａ）及び図４（ｂ）から明らかなように、本実施の形態の液晶表示装置１０１を用いることにより、ソースドライバのチップ面積を小さくするとともに、消費電力の増加を少なくすることが出来ることがわかる。
【産業上の利用可能性】
【００９０】
本発明にかかる液晶表示装置、及び液晶表示装置の駆動方法は、ソースドライバーのチップサイズを減少するとともに、低消費電力を実現する効果を有し、携帯電話端末などの映像表示用のディスプレイとして用いられる液晶表示装置、及び液晶表示装置の駆動方法等として有用である。
【図面の簡単な説明】
【００９１】
【図１】本発明の第１の実施の形態における液晶表示装置の構成を示す図
【図２】従来の液晶表示装置の構成を示す図
【図３】図２とは異なる従来の液晶表示装置の構成を示す図
【図４】（ａ）各液晶表示装置のソースドライバのチップ面積を比較した結果を示す図    （ｂ）各液晶表示装置の消費電力を比較した結果を示す図
【符号の説明】
【００９２】
１０１  液晶表示装置
１０２  ソースドライバー
１０３  ゲートドライバー
１０４  メイン液晶表示パネル
１０５  サブ液晶表示パネル
１０６  ＣＰＵ
１０２ａ  ドライバー部
１０２ｂ  コントローラー部
１０２ｄ  サブ液晶表示パネルＧＲＡＭ
ＳＧ11  ソースドライバー制御信号
ＳＧ12  表示データ
ＳＧ13  液晶駆動電圧
ＳＧ14  ゲートドライバー制御信号
ＳＧ15  液晶表示パネル制御信号
ＳＧ16  表示データ
２０１  液晶表示装置
２０２  ソースドライバー
２０３  ゲートドライバー
２０４  メイン液晶表示パネル
２０５  サブ液晶表示パネル
２０６  ＣＰＵ
２０２ａ  ドライバー部
２０２ｂ  コントローラー部
２０２ｃ  メイン液晶表示パネルＧＲＡＭ
２０２ｄ  サブ液晶表示パネルＧＲＡＭ
ＳＧ21  ソースドライバー制御信号
ＳＧ22  表示データ
ＳＧ23  液晶駆動電圧
ＳＧ24  ゲートドライバー制御信号
ＳＧ25  液晶表示パネル制御信号
ＳＧ26  表示データ
３０１  液晶表示装置
３０２  ソースドライバー
３０３  ゲートドライバー
３０４  メイン液晶表示パネル
３０５  サブ液晶表示パネル
３０６  ＣＰＵ
３０２ａ  ドライバー部
３０２ｂ  コントローラー部
ＳＧ31  ソースドライバー制御信号
ＳＧ32  表示データ
ＳＧ33  液晶駆動電圧
ＳＧ34  ゲートドライバー制御信号
ＳＧ35  液晶表示パネル制御信号
【図１】
2005031593.tif 000003
【図２】
2005031593.tif 000004
【図３】
2005031593.tif 000005
【図４】
2005031593.tif 000006